(57)【要約】【課題】独立して揺動可能に分割された仕切板を連結板により連結し、この連結板によってカードの誤挿入を防止すると共に、連結板の変形または破損を防止することができるカード用コネクタを提供すること。【解決手段】第１のカード７１及び第２のカード８１を挿入可能な挿入口４が形成されたハウジング２、３と、ハウジング２、３内で上下方向に揺動可能に設けられ、初期状態で上方に位置して第２のカード８１の装着空間を形成し、第１のカード７１の挿入時に下方に揺動して第１のカード７１の装着空間を形成する仕切板５とを備え、仕切板５は、ハウジング２、３の幅方向に並んで配置され、それぞれ独立して揺動可能な一対の揺動板３１ａ、３１ｂと、一対の揺動板３１ａ、３１ｂを揺動可能に連結する連結板４１とを有し、一対の揺動板３１ａ、３１ｂの挿入口４側に連結板４１を保護する保護部３３ａ、３３ｂを設けた。【選択図】図３
2011249072.tif 000002
【特許請求の範囲】
【請求項１】
第１のカード及び前記第１のカードよりも幅狭な第２のカードを挿入可能な挿入口が形成されたハウジングと、
前記ハウジング内で上下方向に揺動可能に設けられ、初期状態で上方に位置して前記第２のカードの装着空間を形成し、前記第１のカードの挿入時に下方に揺動して前記第１のカードの装着空間を形成する仕切板とを備え、
前記仕切板は、前記ハウジングの幅方向に並んで配置され、それぞれ独立して揺動可能な一対の揺動板と、前記一対の揺動板を揺動可能に連結する連結板とを有し、前記一対の揺動板の前記挿入口側に前記連結板を保護する保護部を設けたことを特徴とするカード用コネクタ。
【請求項２】
前記一対の揺動板は、前記連結板よりも肉厚に形成され、前記連結板を収容する収容孔が設けられており、
前記保護部は、前記収容孔の一部を形成するように前記一対の揺動板の前記挿入口側に設けられたことを特徴とする請求項１に記載のカード用コネクタ。
【請求項３】
前記保護部には、初期状態で前記第２のカードを、前記第２のカードの装着空間にガイドするガイド面が形成されたことを特徴とする請求項１または請求項２に記載のカード用コネクタ。
【請求項４】
前記一対の揺動板は樹脂製であり、
前記連結板は、前記一対の揺動板に一体成形されたことを特徴とする請求項１から請求項３のいずれかに記載のカード用コネクタ。
【請求項５】
前記連結板は、前記一対の揺動板に埋設された金属板の一部で形成され、
前記金属板には、前記一対の揺動板を上方位置に付勢する復帰バネが設けられたことを特徴とする請求項４に記載のカード用コネクタ。
【請求項６】
前記一対の揺動板は、前記連結板に連結されて一体化され、
前記連結板は、前記一対の揺動板に対して独立した揺動を許容する長さに形成されたことを特徴とする請求項１から請求項５のいずれかに記載のカード用コネクタ。
【請求項７】
前記連結板は、上面視Ｕ字状に延在することを特徴とする請求項６に記載のカード用コネクタ。
【請求項８】
第１のカード及び前記第１のカードよりも幅狭な第２のカードを挿入可能な挿入口が形成されたハウジングと、
前記ハウジング内で上下方向に揺動可能に設けられ、初期状態で上方に位置して前記第２のカードの装着空間を形成し、前記第１のカードの挿入時に下方に揺動して前記第１のカードの装着空間を形成する仕切板とを備え、
前記仕切板は、前記ハウジングの幅方向に並んで配置された揺動可能な一対の揺動板と、前記一対の揺動板を連結して一体化させる連結板とを有し、前記連結板が、前記一対の揺動板に対して独立した揺動を許容する長さに形成されたことを特徴とするカード用コネクタ。
【請求項９】
前記連結板は、上面視Ｕ字状に延在することを特徴とする請求項８に記載のカード用コネクタ。
【請求項１０】
前記一対の揺動板は樹脂製であり、
前記連結板は、前記一対の揺動板に一体成形されたことを特徴とする請求項８または請求項９に記載のカード用コネクタ。
【請求項１１】
前記連結板は、前記一対の揺動板に埋設された金属板の一部で形成され、
前記金属板には、前記一対の揺動板を上方位置に付勢する復帰バネが設けられたことを特徴とする請求項１０に記載のカード用コネクタ。
【請求項１２】
前記一対の揺動板には、前記連結板を保護する保護部が設けられたことを特徴とする請求項８から請求項１１のいずれかに記載のカード用コネクタ。
【発明の詳細な説明】
【技術分野】
【０００１】
本発明は、カード用コネクタに関し、特に、規格の異なる複数種類のカードに対応したコンバイン型のカード用コネクタに関する。
【背景技術】
【０００２】
従来、規格の異なる複数種類のカードに対応したカード用コネクタとして、誤挿入防止構造を備えたものが知られている（例えば、特許文献１参照）。特許文献１に記載のカード用コネクタは、第１のカード及び第１のカードよりも幅狭の第２のカードに対応しており、ハウジング内で上下方向に揺動されることでカードの装着空間を形成する仕切板を備えている。仕切板は、カードの非挿入時に上方に退避されて第２のカードの装着空間を形成し、第１のカードの挿入時に下方に揺動されて第１のカードの装着空間を形成する。
【０００３】
また、仕切板の挿入口側は、カードの幅方向の略中間位置で左右に分割された一対の揺動板となっており、独立して揺動可能となっている。この場合、各揺動板の揺動は、第１のカードの幅方向の両端に対応した各揺動板のそれぞれに設けられたレバー部が押し下げられることで行われる。この場合、第２のカードは、第１のカードよりも幅狭なためレバー部を介して一対の揺動板を押し下げることができない。また、第２のカードを片側に寄せて一方の揺動板を押し下げるようにしても、他方の揺動板が押し下げられることなく第２のカードの誤挿入を規制する。このように、特許文献１のカード用コネクタは、仕切板を左右に分割することで、第１のカードの装着空間に第２のカードが誤装着されるのを防止している。
【先行技術文献】
【特許文献】
【０００４】
【特許文献１】特開２００９−９４００９号公報
【発明の概要】
【発明が解決しようとする課題】
【０００５】
しかしながら、上記した従来のカード用コネクタにおいては、片側の揺動板が押し下げられたときに生じる一対の揺動板間の隙間から、第２のカードが誤挿入されるおそれがある。この問題を解決するため、左右の揺動板に、隙間を横切るように連結板を設けて、隙間から第２のカードが誤挿入されるのを防止する構成が考えられる。しかし、連結板は、左右の揺動板への取付位置によっては、カードの正挿入時においてもカードに当接して、変形または破損するおそれがあった。
【０００６】
本発明はこのような実情に鑑みてなされたものであり、独立して揺動可能に分割された仕切板を連結板により連結し、この連結板によってカードの誤挿入を防止すると共に、連結板の変形または破損を防止することができるカード用コネクタを提供することを目的とする。
【課題を解決するための手段】
【０００７】
本発明のカード用コネクタは、第１のカード及び前記第１のカードよりも幅狭な第２のカードを挿入可能な挿入口が形成されたハウジングと、前記ハウジング内で上下方向に揺動可能に設けられ、初期状態で上方に位置して前記第２のカードの装着空間を形成し、前記第１のカードの挿入時に下方に揺動して前記第１のカードの装着空間を形成する仕切板とを備え、前記仕切板は、前記ハウジングの幅方向に並んで配置され、それぞれ独立して揺動可能な一対の揺動板と、前記一対の揺動板を揺動可能に連結する連結板とを有し、前記一対の揺動板の前記挿入口側に前記連結板を保護する保護部を設けたことを特徴とする。
【０００８】
この構成によれば、第２のカードの誤挿入によって一対の揺動板のいずれか一方が押し下げられた場合に、いずれか他方によって第２のカードの挿入が規制される。また、一対の揺動板のいずれか一方の押し下げによって生じる一対の揺動板間の隙間には、連結板が位置されるため、この隙間を介して第２のカードが誤挿入されることがない。よって、第２のカードによる誤挿入が確実に防止される。さらに、保護部により連結板が保護されるため、第１、第２のカードの正挿入時に、第１、第２のカードと連結板とが直に接触されることがなく、連結板の変形または破損が防止される。これにより、カード用コネクタに対する第１、第２のカードのスムーズな装着が可能となる。
【０００９】
また本発明は、上記カード用コネクタにおいて、前記一対の揺動板は、前記連結板よりも肉厚に形成され、前記連結板を収容する収容孔が設けられており、前記保護部は、前記収容孔の一部を形成するように前記一対の揺動板の前記挿入口側に設けられたことを特徴とする。
【００１０】
この構成によれば、収容孔に連結板を収容することで、一対の揺動板（保護部）の厚みによって連結板と第１、第２とのカードとの擦れを防止することができる。
【００１１】
また本発明は、上記カード用コネクタにおいて、前記保護部には、初期状態で前記第２のカードを、前記第２のカードの装着空間にガイドするガイド面が形成されたことを特徴とする。
【００１２】
この構成によれば、ガイド面により第２のカードが第２の装着空間にガイドされ、第２のカードをスムーズに装着することができる。
【００１３】
また本発明は、上記カード用コネクタにおいて、前記一対の揺動板は樹脂製であり、前記連結板は、前記一対の揺動板に一体成形されたことを特徴とする。
【００１４】
この構成によれば、一対の揺動板と連結板とを一体成形することで、部品点数および組み立て工数を減らして、カード用コネクタの製造コストを低減できる。また、一対の揺動板と連結板とを強固に一体化させることができる。
【００１５】
また本発明は、上記カード用コネクタにおいて、前記連結板は、前記一対の揺動板に埋設された金属板の一部で形成され、前記金属板には、前記一対の揺動板を上方位置に付勢する復帰バネが設けられたことを特徴とする。
【００１６】
この構成によれば、復帰バネが連結板と共に金属板の一部で形成されるため、部品点数および組み立て工数を減らして、カード用コネクタの製造コストを低減できる。
【００１７】
また本発明は、上記カード用コネクタにおいて、前記一対の揺動板は、前記連結板に連結されて一体化され、前記連結板は、前記一対の揺動板に対して独立した揺動を許容する長さに形成されたことを特徴とする。
【００１８】
この構成によれば、一対の揺動板が連結板によって一体化されているにも関わらず、一対の揺動板に対して独立した揺動を許容させることができ、第２のカードの誤挿入を防止できる。このように、誤挿入防止構造を有するカード用コネクタにおいて、一対の揺動板の一体化により部品点数および組み立て工数を減らして製造コストを低減することができる。
【００１９】
また本発明は、上記カード用コネクタにおいて、前記連結板は、上面視Ｕ字状に延在することを特徴とする。
【００２０】
この構成によれば、簡易な形状の連結板によって、一対の揺動板に対して独立した揺動を許容しつつ、一対の連結板を連結することができる。
【００２１】
本発明の他のカード用コネクタは、第１のカード及び前記第１のカードよりも幅狭な第２のカードを挿入可能な挿入口が形成されたハウジングと、前記ハウジング内で上下方向に揺動可能に設けられ、初期状態で上方に位置して前記第２のカードの装着空間を形成し、前記第１のカードの挿入時に下方に揺動して前記第１のカードの装着空間を形成する仕切板とを備え、前記仕切板は、前記ハウジングの幅方向に並んで配置された揺動可能な一対の揺動板と、前記一対の揺動板を連結して一体化させる連結板とを有し、前記連結板が、前記一対の揺動板に対して独立した揺動を許容する長さに形成されたことを特徴とする。
【００２２】
この構成によれば、一対の揺動板が連結板によって一体化されているにも関わらず、一対の揺動板に対して独立した揺動を許容させることができる。このため、一対の揺動板のいずれか一方の揺動時に、いずれか他方が揺動することなく第２のカードの挿入が規制される。また、一対の揺動板のいずれか一方の押し下げによって生じる一対の揺動板間の隙間には、連結板が位置されるため、この隙間を介して第２のカードが挿入されることがない。このように、誤挿入防止構造を有するカード用コネクタにおいて、一対の揺動板の一体化により部品点数および組み立て工数を減らして製造コストを低減することができる。
【００２３】
また本発明は、上記他のカード用コネクタにおいて、前記連結板は、上面視Ｕ字状に延在することを特徴とする。
【００２４】
この構成によれば、簡易な形状の連結板によって、一対の揺動板に対して独立した揺動を許容しつつ、一対の連結板を連結することができる。
【００２５】
また本発明は、上記他のカード用コネクタにおいて、前記一対の揺動板は樹脂製であり、前記連結板は、前記一対の揺動板に一体成形されたことを特徴とする。
【００２６】
この構成によれば、一対の揺動板と連結板とを一体成形することで、部品点数および組み立て工数を減らして、カード用コネクタの製造コストを低減することができる。また、一対の揺動板と連結板とを強固に一体化させることができる。
【００２７】
また本発明は、上記他のカード用コネクタにおいて、前記連結板は、前記一対の揺動板に埋設された金属板の一部で形成され、前記金属板には、前記一対の揺動板を上方位置に付勢する復帰バネが設けられたことを特徴とする。
【００２８】
この構成によれば、復帰バネが連結板と共に金属板の一部で形成されるため、部品点数および組み立て工数を減らして、カード用コネクタの製造コストを低減することができる。
【００２９】
また本発明は、上記他のカード用コネクタにおいて、前記一対の揺動板には、前記連結板を保護する保護部が設けられたことを特徴とする。
【００３０】
この構成によれば、保護部により連結板が保護されるため、第１、第２のカードの正挿入時に、第１、第２のカードと連結板とが直に接触されることがなく、連結板の変形または破損が防止される。これにより、カード用コネクタに対する第１、第２のカードのスムーズな装着が可能となる。
【発明の効果】
【００３１】
本発明によれば、独立して揺動可能に分割された仕切板を連結板により連結し、この連結板によってカードの誤挿入を防止すると共に、連結板の変形または破損を防止することができる。
【図面の簡単な説明】
【００３２】
【図１】本発明に係るカード用コネクタの第一の実施の形態を示す図であり、カード用コネクタの斜視図である。
【図２】本発明に係るカード用コネクタの第一の実施の形態を示す図であり、カード用コネクタからカバーを外した斜視図である。
【図３】本発明に係るカード用コネクタの第一の実施の形態を示す図であり、カード用コネクタからカバーおよび仕切板を外した斜視図である。
【図４】本発明に係るカード用コネクタの第一の実施の形態を示す図であり、連結板による一対の揺動板の連結構造の説明図である。
【図５】本発明に係るカード用コネクタの第一の実施の形態を示す図であり、カード用コネクタの誤挿入防止構造の説明図である。
【図６】本発明に係るカード用コネクタの第一の実施の形態を示す図であり、カード用コネクタの保護部による連結板の保護構造の説明図である。
【図７】本発明に係るカード用コネクタの第一の実施の形態を示す図であり、第１のカードの装着動作の説明図である。
【図８】本発明に係るカード用コネクタの第一の実施の形態を示す図であり、第２のカードの装着動作の説明図である。
【図９】本発明に係るカード用コネクタの第一の実施の形態を示す図であり、第２のカードの挿入状態を正面からみた説明図である。
【図１０】本発明に係るカード用コネクタの第二の実施の形態を示す図であり、カード用コネクタからカバーを外した斜視図である。
【図１１】本発明に係るカード用コネクタの第二の実施の形態を示す図であり、第１のカードの装着動作の説明図である。
【図１２】本発明に係るカード用コネクタの第二の実施の形態を示す図であり、第２のカードの装着動作の説明図である。
【図１３】本発明に係るカード用コネクタの第二の実施の形態を示す図であり、第１のカードの挿入状態を正面からみた説明図である。
【図１４】本発明に係るカード用コネクタの第二の実施の形態を示す図であり、第２のカードの挿入状態を正面からみた説明図である。
【図１５】本発明に係るカード用コネクタの実施の形態を示す図であり、第１のカードの平面図である。
【図１６】本発明に係るカード用コネクタの実施の形態を示す図であり、第２のカードの平面図である。
【発明を実施するための形態】
【００３３】
以下、本発明の第一の実施の形態について添付図面を参照して詳細に説明する。なお、以下においては、ＳＤカード（Secure  Digital  memory  card）およびメモリースティックＤＵＯカード（登録商標）が装着されるコンバイン型のカード用コネクタに適用する場合について説明する。しかしながら、本実施の形態に係るカード用コネクタの適用対象については、これに限定されるものではなく適宜変更が可能である。
【００３４】
まず、本実施の形態に係るカード用コネクタについて説明する前に装着対象となる第１のカードおよび第２のカードについて説明する。図１５は、本発明の第一の実施の形態に係る第１のカードの平面図である。図１６は、本発明の第二の実施の形態に係る第２のカードの平面図である。
【００３５】
図１５（ａ）に示すように、第１のカード７１は、いわゆるＳＤカードであり、上面視略矩形状に形成された記憶媒体である。第１のカード７１の一の角部には、切り欠かれて約４５度に傾斜した傾斜面７２が形成されている。傾斜面７２は、第１のカード７１の挿入方向を識別するのに用いられ、この傾斜面７２が形成されている側が挿入方向における前端側とされ、逆側が挿入方向における後端側とされる。
【００３６】
図１５（ｂ）に示すように、第１のカード７１の背面には、傾斜面７２が形成された前端側に、挿入方向に延在する複数の仕切によって複数の溝部７３が形成されている。複数の溝部７３には、カード用コネクタ１の複数のコンタクト端子１７（図３参照）に接触して情報の読み出しまたは書込みをするための複数の接点パッド７４が設けられている。第１のカード７１の一の側面には、カード内のメモリに対する書き込み禁止用の操作部７５が設けられている。第１のカード７１は、背面側を上向きにしてカード用コネクタ１に挿入される。
【００３７】
図１６（ａ）に示すように、第２のカード８１は、いわゆるメモリースティックＤＵＯカードであり、第１のカード７１よりも幅狭な上面視略矩形状に形成された記憶媒体である。第２のカード８１の一の角部には、切り欠かれて約４５度に傾斜した傾斜面８２が形成されている。傾斜面８２は、第２のカード８１の挿入方向を識別するのに用いられ、この傾斜面８２が形成されている側が挿入方向における前端側とされ、逆側が挿入方向における後端側とされる。
【００３８】
図１６（ｂ）に示すように、第２のカード８１の背面には、傾斜面８２が形成された前端側に、挿入方向に延在する複数の仕切によって複数の溝部８３が形成されている。複数の溝部８３には、カード用コネクタ１の複数のコンタクト端子１６（図３参照）に接触して情報の読み出しまたは書込みをするための複数の接点パッド８４が設けられている。第２のカード８１は、背面側を下向きにしてカード用コネクタ１に挿入される。
【００３９】
次に、図１から図３を参照して、カード用コネクタの全体構成について説明する。図１は、本発明の第一の実施の形態に係るカード用コネクタの斜視図である。図２は、本発明の第一の実施の形態に係るカード用コネクタからカバーを外した斜視図である。図３は、本発明の第一の実施の形態に係るカード用コネクタからカバーおよび仕切板を外した斜視図である。
【００４０】
図１から図３に示すように、本実施の形態に係るカード用コネクタ１は、上面および前面が開口されたコネクタ本体２と、コネクタ本体２の上面の開口に装着されてカードの装着空間を形成するカバー３とを備え、コネクタ本体２およびカバー３が組み合わされて挿入口４を有する箱状体をなしている。挿入口４は、正面視において第１、第２のカード７１、８１を挿入可能なように、第１のカード７１に対応した段状領域と第２のカード８１に対応した矩形領域とを重ね合わせた形状を有している。第１のカード７１は、カード用コネクタ１の上側に沿うように挿入口４の段状領域に挿入され、第２のカード８１は、カード用コネクタ１の下側に沿うように挿入口４の矩形領域に挿入される。
【００４１】
カード用コネクタ１内には、装着空間を上下に仕切る仕切板５が上下方向に揺動可能に設けられている。仕切板５は、カバー３に接する上方位置にある場合に、第２のカード８１の装着空間を形成し、コネクタ本体２の底壁部１１に接する下方位置にある場合に第１のカード７１の装着空間を形成する。また、仕切板５は、初期状態で上方位置に位置されて第２のカード８１の装着空間を形成している。このように、本実施の形態に係るカード用コネクタ１は、仕切板５の上下の揺動により、第１、第２のカード７１、８１を選択的に装着可能としている。
【００４２】
コネクタ本体２の底壁部１１における奥側の略後半部には、第２のカード８１用の複数のコンタクト端子１６が幅方向に前後２列に配置されている。前列側のコンタクト端子１６は、先端を奥側に向けて延在し、後列側のコンタクト端子１６は、先端を挿入口４側に向けて延在している。コネクタ本体２の奥壁部１２には、第１のカード７１用の複数のコンタクト端子１７が幅方向に一列に配置されている。複数のコンタクト端子１７は、先端を挿入口４側に向けて延在している。
【００４３】
コネクタ本体２の一の側壁部１３側には、側壁部１３に沿ってスライド可能なスライド部材２１と、スライド部材２１のスライドに伴って伸縮するコイル状の排出バネ２２とが設けられている。排出バネ２２は、一端が奥壁部１２に当接され、他端がスライド部材２１に当接されており、スライド部材２１を排出方向に付勢している。コネクタ本体２の一の側壁部１３側には、スライド部材２１の排出方向へのスライドを遮るようにストッパ１８が設けられている。ストッパ１８は、スライド部材２１に当接することで、スライド部材２１を排出位置に規制する。
【００４４】
スライド部材２１は、排出バネ２２に付勢された状態で挿入方向および排出方向にスライド可能に構成されている。スライド部材２１の挿入方向における後側部分には、コネクタ本体２の中央に向かって突出する腕部２５が形成されている。腕部２５は、スライド部材２１の後側に向かって装着空間の幅方向を狭めるような傾斜面を有し、第１、第２のカード７１、８１の傾斜面７２、８２に当接可能に約４５度に傾斜している。腕部２５は、第１、第２のカード７１、８１の前端面に当接し、スライド部材２１と第１、第２のカード７１、８１とを一体に移動させる。
【００４５】
スライド部材２１の上面にはハートカム溝２６が形成されており、このハートカム溝２６とストッパ１８に設けられたラッチピン２７とによりスライド部材２１の位置が規定される。ラッチピン２７は、スライド部材２１のスライド方向に延在し、両端が底壁部１１に向かって略直角に屈曲している。ラッチピン２７の一端は、ストッパ１８に回動可能に支持され、他端はスライド部材２１のハートカム溝２６上を摺動される。
【００４６】
ハートカム溝２６は、複数の段差と傾斜を有して上面視ハート型の環状に形成されており、スライド部材２１のスライドに応じてラッチピン２７の他端を一方向に摺動させる。スライド部材２１が奥壁部１２近傍の装着位置に押し込まれると、ラッチピン２７の他端がハートカム溝２６の係止部分に係止され、排出バネ２２の付勢によるスライド部材２１の復帰が規制される。この状態からさらにスライド部材２１が押し込まれると、ラッチピン２７とハートカム溝２６との係止状態が解除されて、排出バネ２２の付勢によりスライド部材２１が復帰される。このように、ラッチピン２７とハートカム溝２６は、スライド部材２１の装着位置における保持機能を有している。
【００４７】
コネクタ本体２の他の側壁部１４には、第１のカード７１の書き込み禁止状態を検出するスイッチ部２９が設けられている。スイッチ部２９は、図示しない巻きバネにより固定接点に対して離間方向に付勢されている。スイッチ部２９は、第１のカード７１の挿入時に、第１のカード７１の操作部７５の設定位置に応じて押し込まれ、第１のカード７１の書き込み禁止状態を検出する。
【００４８】
仕切板５は、幅方向に並んだ左右一対の揺動板３１ａ、３１ｂと、一対の揺動板３１ａ、３１ｂを挿入口４側となる前端側で連結した連結板４１とを有している。仕切板５は、合成樹脂製の一対の揺動板３１ａ、３１ｂに金属板状の連結板４１を埋設し、連結板４１を介して一対の揺動板３１ａ、３１ｂを一体化させている。連結板４１は、上面視Ｕ字状であり、中間部分を僅かに上方に折り曲げて形成されている。このため、一対の揺動板３１ａ、３１ｂは、それぞれコネクタ本体２の中央に向かって高くなるような傾斜姿勢をとっている。また、詳細は後述するが、連結板４１は、一体化した一対の揺動板３１ａ、３１ｂに対して独立した揺動を許容し、カードの誤挿入を防止する。
【００４９】
一対の揺動板３１ａ、３１ｂは、後端側が相互に連結されており、この連結部分と連結板４１とを介して一体化されている。一対の揺動板３１ａ、３１ｂの前端側は、それぞれ円弧状に切り欠かれた切欠き部分を有し、この切欠き部分により連結板４１が収容される収容孔３２が形成されている。この場合、一対の揺動板３１ａ、３１ｂの前端側は、連結板４１よりも肉厚に形成されるため、収容孔３２に収容された連結板４１と第１、第２のカード７１、８１との摺接が防止される。
【００５０】
一対の揺動板３１ａ、３１ｂの前端部は、収容孔３２の前端側を形成すると共に、連結板４１を保護する保護部３３ａ、３３ｂとして機能する。保護部３３ａ、３３ｂは、連結板４１の挿入口４側に位置して、連結板４１とカードとの衝突を防止する。一対の揺動板３１ａ、３１ｂの後端側には、第２のカード８１用の複数のコンタクト端子１７に対応して逃げ孔３４が形成されている。逃げ孔３４は、一対の揺動板３１ａ、３１ｂの下側への揺動時に、第２のカード８１用の複数のコンタクト端子１６の先端を逃がしている。
【００５１】
一対の揺動板３１ａ、３１ｂのそれぞれ側壁部側には、一対の揺動板３１ａ、３１ｂを上方に付勢する復帰バネ３５ａ、３５ｂが設けられている。復帰バネ３５ａ、３５ｂは、一対の揺動板３１ａ、３１ｂから突出された金属板材に形成された片持バネであり、底壁部１１側に折り曲げられている。復帰バネ３５ａ、３５ｂは、一対の揺動板３１ａ、３１ｂを上方に付勢して、初期状態で第２のカード８１の装着空間を形成する。
【００５２】
また、一対の揺動板３１ａ、３１ｂは、上面視において、底壁部１１に設けられた複数のガイド部４２を避けるように、切欠き３６および開口３７が形成されている。複数のガイド部４２は、装着空間内への第１、第２のカード７１、８１の挿入をガイドするものである。一対の揺動板３１ａ、３１ｂは、下側への揺動時にガイド部４２を切欠き３６および開口３７に収容し、底壁部１１に接触する。よって、一対の揺動板３１ａ、３１ｂは、底壁部１１に接して第１のカード７１の装着空間を形成するため、カード用コネクタ１を薄型化することが可能となる。
【００５３】
コネクタ本体２の挿入口４側には、第１のカード７１の幅方向の両端部によって押し下げ可能なように一対のレバー部材４３ａ、４３ｂが設けられている。一対のレバー部材４３ａ、４３ｂは、一端側が底壁部１１に回動可能に支持され、他端側が一対の揺動板３１ａ、３１ｂに設けられた段部３８ａ、３８ｂに上方から当接している。よって、一対のレバー部材４３ａ、４３ｂは、第１のカード７１の挿入により一端側を中心として下方に回動され、一対の揺動板３１ａ、３１ｂを下側に揺動させる。なお、一対のレバー部材４３ａ、４３ｂの配置間隔は、第２のカード８１の幅寸法よりも大きく、第２のカード８１によって同時に押し下げられることがない。
【００５４】
カバー３は、金属製の板材を折り曲げて形成されており、上板の一側方にはラッチピン２７を押えるピン押え４５が形成されている。ピン押え４５は、上板から底壁部１１側に切り起こされた片持ちバネであり、ラッチピン２７の中間部分を下方に押圧してラッチピン２７の他端をハートカム溝２６に押し付けている。また、カバー３には、第１のカード７１用の複数のコンタクト端子１７に対応して複数の開口４６が形成されている。複数の開口４６は、第１のカード７１の挿入時に、コンタクト端子１７とカバー３との接触を防止している。
【００５５】
図４を参照して、連結板による一対の揺動板の連結構造について説明する。図４は、本発明の実施の形態に係る連結板による一対の揺動板の連結構造の説明図である。
【００５６】
図４に示すように、仕切板５は、一対の揺動板３１ａ、３１ｂに金属板５１をインサートして成形されている。金属板５１は、上記した復帰バネ３５ａ、３５ｂおよび連結板４１を有している。復帰バネ３５ａ、３５ｂは、一対の揺動板３１ａ、３１ｂの前方側および後方側から突出され、一対の揺動板３１ａ、３１ｂを４箇所で支持する。連結板４１は、一端側が一方の揺動板３１ａに埋設され、他端側が他方の揺動板３１ｂに埋設されている。連結板４１は、上面視Ｕ字状に延在されており、両端間が余裕を持った長さに形成されている。このため、一対の揺動板３１ａ、３１ｂは、金属板５１のインサート成形により一体化された状態で、連結板４１によって独立した揺動が確保される。
【００５７】
例えば、一方の揺動板３１ａは、レバー部材４３ａによる段部３８ａの押し下げにより、他方の揺動板３１ｂと連結板４１の他端側との接続部分５２ｂを支点として下側に揺動される。このとき、連結板４１が余裕を持った長さを有するため、一方の揺動板３１ａの下側への揺動が連結板４１の撓みに吸収される。このため、他方の揺動板３１ｂが一方の揺動板３１ａの揺動につられて揺動することが抑制される。同様に、他方の揺動板３１ｂも一方の揺動板３１ａと連結板４１の一端側との接続部分５２ａを支点として揺動され、一方の揺動板３１ａが他方の揺動板３１ｂの揺動につられて揺動することが抑制される。このように、連結板４１は、一対の揺動板３１ａ、３１ｂを一体化させた状態で、一対の揺動板３１ａ、３１ｂに独立した揺動を許容する長さに形成されている。
【００５８】
なお、本実施の形態においては、連結板４１が上面視Ｕ字状に形成される構成としたが、この構成に限定されるものではない。連結板４１は、一対の揺動板３１ａ、３１ｂを一体化させた状態で、一対の揺動板３１ａ、３１ｂに独立した揺動を許容する長さを有すればよく、例えば、上面視Ｖ字状やＭ字状に形成されてもよい。
【００５９】
また、金属板５１の一対の揺動板３１ａ、３１ｂに埋設された部分は、一対の揺動板３１ａ、３１ｂを補強する補強板５３ａ、５３ｂとして機能する。補強板５３ａ、５３ｂは、一対の揺動板３１ａ、３１ｂの前端側に埋設されており、保護部３３ａ、３３ｂや段部３８ａ、３８ｂを内側から補強すると共に、一対の揺動板３１ａ、３１ｂの前端側の剛性を高めている。一対の揺動板３１ａ、３１ｂの前端側は、剛性が高められて揺動にかかる時間が短縮されている。すなわち、一対の揺動板３１ａ、３１ｂの前端側は、剛性によって撓み等が抑制されるため、レバー部材４３ａ、４３ｂの押し下げが即座に段部３８ａ、３８ｂから周辺に伝達されて早期に揺動が完了する。この構成により、第１のカード７１がカード用コネクタ１の奥方に押し込まれる前に、一対の揺動板３１ａ、３１ｂの下方位置への揺動が完了され、一対の揺動板３１ａ、３１ｂにより第１のカード７１の挿入が阻害されることがない。
【００６０】
このように、一対の揺動板３１ａ、３１ｂは、連結板４１よって独立した揺動が許容された状態で一体化されている。このため、一対の揺動板３１ａ、３１ｂの独立した揺動によりカード用コネクタ１の誤挿入防止構造を備えることができ、部品点数および組み立て工数を減らして、カード用コネクタ１の製造コストを低減することができる。
【００６１】
以下、図５を参照して、カード用コネクタの誤挿入防止構造について説明する。図５は、本発明の第一の実施の形態に係るカード用コネクタの誤挿入防止構造の説明図である。
【００６２】
図５（ａ）に示すように、初期状態では一対の揺動板３１ａ、３１ｂが上方位置に位置されており、第２のカード８１の装着空間が形成されている。この初期状態において、第２のカード８１が第１のカード７１用の段状領域に誤挿入され、片側のレバー部材４３ａが押し下げられると、図５（ｂ）に示すように、一方の揺動板３１ａが下方位置に揺動される。このとき、他方の揺動板３１ｂは、上記したように一方の揺動板３１ａとは独立して揺動可能なため、上方位置に位置される。この構成により、第２のカード８１の挿入により一対の揺動板３１ａ、３１ｂの一方が押し下げられた場合に、押し下げられていない他方が第２のカード８１の挿入を抑制する。
【００６３】
また、一方の揺動板３１ａの押し下げにより、一対の揺動板３１ａ、３１ｂ間に隙間が生じる。この隙間には、一対の揺動板３１ａ、３１ｂを連結する連結板４１が位置される。このため、図５（ｃ）に示すように、連結板４１は、隙間内に配置された規制部材として機能し、一対の揺動板３１ａ、３１ｂ間の隙間からの第２のカード８１の挿入を抑制する。このように、連結板４１は、一対の揺動板３１ａ、３１ｂを独立して揺動可能に連結しつつ、第２のカード８１の誤挿入を防止している。
【００６４】
図６を参照して、保護部による連結板の保護構造について説明する。図６は、本発明の第一の実施の形態に係るカード用コネクタの保護部による連結板の保護構造の説明図である。
【００６５】
図６（ａ）、（ｂ）に示すように、保護部３３ａ、３３ｂは、連結板４１の挿入口４側に位置しており、連結板４１と第１、第２のカード８１との衝突を防止している。このとき、保護部３３ａ、３３ｂの内部には、補強板５３ａ、５３ｂが埋設されており、衝突に対する耐久性が向上されている。また、連結板４１は、保護部３３ａ、３３ｂの厚みに収まるように収容孔３２内に配置されている。このため、第１、第２のカード７１、８１は、連結板４１に接触することなくカード用コネクタ１内に挿入される。このように、連結板４１は、保護部３３ａ、３３ｂに保護されることで、第１、第２のカード７１、８１との衝突による変形または破損が防止される。
【００６６】
また、図６（ａ）に示すように、保護部３３ａ、３３ｂには、後端側に向かって下方に傾斜するガイド面５５が形成されている。ガイド面５５は、第２のカード８１の前端側に接触して、第２のカード８１を装着空間にガイドする。このため、カード用コネクタ１に対する第２のカード８１のスムーズな装着が可能となる。
【００６７】
図７から図９を参照して、カード用コネクタに対する第１、第２のカードの装着動作について説明する。図７は、本発明の第一の実施の形態に係る第１のカードの装着動作の説明図である。図８は、本発明の第一の実施の形態に係る第２のカードの装着動作の説明図である。図９は、本発明の第一の実施の形態に係る第２のカードの挿入状態を正面からみた説明図である。
【００６８】
最初に、図７を参照して、第１のカード７１の装着動作について説明する。図７（ａ）に示すように、仕切板５は、初期状態において、復帰バネ３５ａ、３５ｂにより上方位置に押し上げられている。この初期状態において、図７（ｂ）に示すように、カード用コネクタ１に第１のカード７１が挿入されると、第１のカード７１の前端部により一対のレバー部材４３ａ、４３ｂが押し下げられ、仕切板５が下側に揺動する。このとき、仕切板５は、第１のカード７１の下方に収まり、第１のカード７１の装着空間を形成する。
【００６９】
第１のカード７１は、装着空間に向かって押し込まれると、スライド部材２１の腕部２５に接触され、スライド部材２１と共に移動される。このとき、ラッチピン２７の他端にハートカム溝２６が摺動されながら、スライド部材２１が装着位置にスライドされる。図７（ｃ）に示すように、第１のカード７１が更に押し込まれると、ラッチピン２７の他端がハートカム溝２６の係止部分に係止され、第１のカード７１がスライド部材２１と共に装着位置に保持される。そして、装着位置に保持されることで第１のカード７１の接点パッド７４が、カード用コネクタ１のコンタクト端子１７と接触し、第１のカード７１の情報記憶部に対する信号の授受が可能となる。
【００７０】
カード用コネクタ１への第１のカード７１が装着された状態では、第１のカード７１の後端部が挿入口４から突出されている。装着状態において、第１のカード７１の後端部が更に押し込まれると、ラッチピン２７とハートカム溝２６との係止状態が解除され、排出バネ２２によりスライド部材２１を介して第１のカード７１が排出される。第１のカード７１の装着位置から排出位置への移動により、第１のカード７１の接点パッド７４とカード用コネクタ１のコンタクト端子１７とが離間される。
【００７１】
次に、図８を参照して第２のカード８１の装着動作について説明する。図８（ａ）に示すように、仕切板５は、初期状態において、復帰バネ３５ａ、３５ｂにより上方位置に押し上げられ、第２のカード８１の装着空間を形成する。また、仕切板５の一対の揺動板３１ａ、３１ｂは、正面視において連結板４１の折り曲げにより、コネクタ本体２の中央に向かって高くなるように傾斜姿勢をとっている（図９（ａ）参照）。
【００７２】
この初期状態において、図８（ｂ）に示すように、カード用コネクタ１に第２のカード８１が挿入されると、仕切板５が第２のカード８１の上面によって押し上げられる。このとき、一対の揺動板３１ａ、３１ｂは、カバーに押し付けられて水平姿勢となり、連結板４１のバネ性により第２のカード８１を上方から押える（図９（ｂ）参照）。
【００７３】
第２のカード８１は、装着空間に向かって押し込まれると、スライド部材２１の腕部２５に接触され、スライド部材２１と共に移動される。このとき、ラッチピン２７の他端にハートカム溝２６が摺動されながら、スライド部材２１が装着位置にスライドされる。図８（ｃ）に示すように、第２のカード８１が更に押し込まれると、ラッチピン２７の他端がハートカム溝２６の係止部分に係止され、第２のカード８１がスライド部材２１と共に装着位置に保持される。そして、装着位置に保持されることで第２のカード８１の接点パッド８４が、カード用コネクタ１のコンタクト端子１６と接触し、第２のカード８１の情報記憶部に対する信号の授受が可能となる。
【００７４】
カード用コネクタ１への第２のカード８１が装着された状態では、第２のカード８１の後端部が挿入口４から突出されている。装着状態において、第２のカード８１の後端部が更に押し込まれると、ラッチピン２７とハートカム溝２６との係止状態が解除され、排出バネ２２によりスライド部材２１を介して第２のカード８１が排出される。第２のカード８１の装着位置から排出位置への移動により、第２のカード８１の接点パッド８４とカード用コネクタ１のコンタクト端子１６とが離間される。
【００７５】
以上のように、本実施の形態に係るカード用コネクタ１によれば、一対の揺動板３１ａ、３１ｂが連結板４１を介して一体化されているにも関わらず、一対の揺動板３１ａ、３１ｂに対して独立した揺動を許容させることができる。このため、一対の揺動板３１ａ、３１ｂの一方の揺動時に、他方が揺動することなく第２のカード８１の挿入が規制される。また、一対の揺動板３１ａ、３１ｂの一方の押し下げによって生じる一対の揺動板３１ａ、３１ｂ間の隙間には、連結板４１が位置されるため、この隙間を介して第２のカード８１が挿入されることがない。このように、誤挿入防止構造を有するカード用コネクタ１において、一対の揺動板３１ａ、３１ｂの一体化により部品点数および組み立て工数を減らして製造コストを低減することができる。また、一対の揺動板３１ａ、３１ｂの保護部３３ａ、３３ｂにより連結板４１が保護されるため、第１、第２のカード７１、８１と連結板４１とが直に接触することがなく、連結板４１の変形または破損が防止される。これにより、カード用コネクタ１に対する第１、第２のカード７１、８１のスムーズな装着が可能となる。
【００７６】
次に、本発明の第二の実施の形態について説明する。本発明の第二の実施の形態に係るカード用コネクタは、上述した第一の実施の形態に係るカード用コネクタと一対の揺動板に可動式ガイド部を設けた点についてのみ相違する。したがって、特に相違点についてのみ説明する。図１０は、本発明の第二の実施の形態に係るカード用コネクタからカバーを外した斜視図である。なお、第二の実施の形態においては、説明の便宜上、同一名称については同一の符号を付して説明する。
【００７７】
図１０に示すように、カード用コネクタ１は、仕切板５を除いて、第一の実施の形態に示すカード用コネクタ１と同様な構成を有している。仕切板５は、一対の揺動板３１ａ、３１ｂを上面視Ｖ字状の連結板４１により一体化して形成されている。一対の揺動板３１ａ、３１ｂには、第２のカード８１の挿入をガイドする可動式ガイド部６１ａ、６１ｂが設けられている。可動式ガイド部６１ａ、６１ｂは、それぞれ上面視Ｕ字状の金属板材により形成され、第２のカード８１を挿入方向にガイドするガイド片６２ａ、６２ｂと、ガイド片６２ａ、６２ｂを上下方向に揺動可能に支持する一対の支持片６３ａ、６３ｂとを有している。可動式ガイド部６１ａ、６１ｂは、それぞれ一対の揺動板３１ａ、３１ｂに形成された収容孔６５ａ、６５ｂ内において、支持片６３ａ、６３ｂの一端側で一対の揺動板３１ａ、３１ｂに片持ち支持されている。
【００７８】
このように構成された可動式ガイド部６１ａ、６１ｂは、一対の揺動板３１ａ、３１ｂが上方位置にある場合に、一対の揺動板３１ａ、３１ｂからガイド片６２ａ、６２ｂを突出させ、第２のカード８１をガイドする。一方、可動式ガイド部６１ａ、６１ｂは、一対の揺動板３１ａ、３１ｂが下方位置にある場合に、ガイド片６２ａ、６２ｂが底壁部１１によって収容孔３２内に押し込まれて、一対の揺動板３１ａ、３１ｂと底壁部１１との接触を許容する。
【００７９】
図１１から図１４を参照して、カード用コネクタに対する第１、第２のカードの装着動作について説明する。図１１は、本発明の第二の実施の形態に係る第１のカードの装着動作の説明図である。図１２は、本発明の第二の実施の形態に係る第２のカードの装着動作の説明図である。図１３は、本発明の第二の実施の形態に係る第１のカードの挿入状態を正面からみた説明図である。図１４は、本発明の第二の実施の形態に係る第２のカードの挿入状態を正面からみた説明図である。
【００８０】
最初に、図１１を参照して第１のカード７１の装着動作について説明する。図１１（ａ）に示すように、仕切板５は、初期状態において、復帰バネ３５ａ、３５ｂにより上方位置に押し上げられている。また、仕切板５の一対の揺動板３１ａ、３１ｂから可動式ガイド部６１ａ、６１ｂのガイド片６２ａ、６２ｂが突出されている（図１３（ａ）参照）。この初期状態において、図１１（ｂ）に示すように、カード用コネクタ１に第１のカード７１が挿入されると、第１のカード７１の前端部により一対のレバー部材４３ａ、４３ｂが押し下げられ、仕切板５が下側に揺動する。
【００８１】
下側に揺動された仕切板５は、第１のカード７１の下方に収まり、第１のカード７１の装着空間を形成する。このとき、可動式ガイド部６１ａ、６１ｂのガイド片６２ａ、６２ｂが底壁部１１に押し上げられ、収容孔３２に内に収容される（図１３（ｂ）参照）。ガイド片６２ａ、６２ｂは、一対の揺動板３１ａ、３１ｂの厚み内に収められており、装着空間側に突出して第１のカード７１の挿入を阻害することがない。
【００８２】
第１のカード７１は、装着空間に向かって押し込まれると、スライド部材２１の腕部２５に接触され、スライド部材２１と共に移動される。このとき、ラッチピン２７の他端にハートカム溝２６が摺動されながら、スライド部材２１が装着位置にスライドされる。図１１（ｃ）に示すように、第１のカード７１が更に押し込まれると、ラッチピン２７の他端がハートカム溝２６の係止部分に係止され、第１のカード７１がスライド部材２１と共に装着位置に保持される。そして、装着位置に保持されることで第１のカード７１の接点パッド７４が、カード用コネクタ１のコンタクト端子１７と接触し、第１のカード７１の情報記憶部に対する信号の授受が可能となる。
【００８３】
カード用コネクタ１への第１のカード７１が装着された状態では、第１のカード７１の後端部が挿入口４から突出されている。装着状態において、第１のカード７１の後端部が更に押し込まれると、ラッチピン２７とハートカム溝２６との係止状態が解除され、排出バネ２２によりスライド部材２１を介して第１のカード７１が排出される。第１のカード７１の装着位置から排出位置への移動により、第１のカード７１の接点パッド７４とカード用コネクタ１のコンタクト端子１７とが離間される。
【００８４】
次に、図１２を参照して第２のカード８１の装着動作について説明する。図１２（ａ）に示すように、仕切板５は、初期状態において、復帰バネ３５ａ、３５ｂにより上方位置に押し上げられ、第２のカード８１の装着空間を形成する。また、仕切板５の一対の揺動板３１ａ、３１ｂは、正面視において連結板４１の折り曲げにより、コネクタ本体２の中央に向かって高くなるように傾斜姿勢をとっている。また、仕切板５の一対の揺動板３１ａ、３１ｂから可動式ガイド部６１ａ、６１ｂのガイド片６２ａ、６２ｂが突出されている（図１４（ａ）参照）。
【００８５】
この初期状態において、図１２（ｂ）に示すように、カード用コネクタ１に第２のカード８１が挿入されると、一対の揺動板３１ａ、３１ｂが第２のカード８１の上面によって押し上げられる。このとき、一対の揺動板３１ａ、３１ｂは、カバーに押し付けられて水平姿勢となり、連結板４１のバネ性により第２のカード８１を上方から押える（図１４（ｂ）参照）。また、第２のカード８１は、可動式ガイド部６１ａ、６１ｂのガイド片６２ａ、６２ｂにより幅方向がガイドされた状態で、第２のカード８１の装着空間に押し込まれる。
【００８６】
第２のカード８１は、装着空間に向かって押し込まれると、スライド部材２１の腕部２５に接触され、スライド部材２１と共に移動される。このとき、ラッチピン２７の他端にハートカム溝２６が摺動されながら、スライド部材２１が装着位置にスライドされる。図１２（ｃ）に示すように、第２のカード８１が更に押し込まれると、ラッチピン２７の他端がハートカム溝２６の係止部分に係止され、第２のカード８１がスライド部材２１と共に装着位置に保持される。そして、装着位置に保持されることで第２のカード８１の接点パッド８４が、カード用コネクタ１のコンタクト端子１６と接触し、第２のカード８１の情報記憶部に対する信号の授受が可能となる。
【００８７】
カード用コネクタ１への第２のカード８１が装着された状態では、第２のカード８１の後端部が挿入口４から突出されている。装着状態において、第２のカード８１の後端部が更に押し込まれると、ラッチピン２７とハートカム溝２６との係止状態が解除され、排出バネ２２によりスライド部材２１を介して第２のカード８１が排出される。第２のカード８１の装着位置から排出位置への移動により、第２のカード８１の接点パッド８４とカード用コネクタ１のコンタクト端子１６とが離間される。
【００８８】
以上のように、本実施の形態に係るカード用コネクタ１によれば、第２のカード８１の挿入時には、一対の揺動板３１ａ、３１ｂから突出された可動式ガイド部６１ａ、６１ｂのガイド片６２ａ、６２ｂにより第２のカード８１のガイドが可能となる。一方、第１のカード７１の挿入時には、ガイド片６２ａ、６２ｂが底壁部１１によって収容孔３２内に押し込まれて、一対の揺動板３１ａ、３１ｂと底壁部１１との接触を許容する。よって、一対の揺動板３１ａ、３１ｂが底壁部１１に接触して第１のカード７１の装着空間を形成するため、カード用コネクタ１を薄型化することが可能となる。
【００８９】
なお、上記した各実施の形態においては、本発明をＳＤカードおよびメモリースティックＤＵＯカードに対応したコンバイン型のカード用コネクタに適用する構成としたが、この構成に限定されるものではない。本発明は、幅の異なる複数の規格のカードに対応可能である。また、上記した各実施の形態においては、本発明をカードの接点パッドとコネクタのコンタクト端子とを接触させて信号の授受を行う接触式のカード用コネクタに適用する構成としたが、この構成に限定されるものではない。カード装着位置において、光学式や磁気式の信号読み出し書込み部材によってカードとコネクタとの信号の授受を行う非接触式のカード用コネクタに適用しても良い。
【００９０】
また、上記した各実施の形態においては、カードの非挿入時に、連結板の折り曲げにより一対の揺動板が傾斜姿勢をとる構成としたが、この構成に限定されるものではない。一対の揺動板は、カードの非挿入時に水平姿勢をとる構成としてもよい。
【００９１】
また、上記した各実施の形態においては、連結板、復帰バネ、補強板を一体に形成したが、この構成に限定されるものではない。連結板、復帰バネ、補強板をそれぞれ別体に形成してもよい。
【００９２】
また、上記した各実施の形態においては、本発明をプッシュプッシュ式のカード用コネクタに適用する構成としたが、この構成に限定されるものではない。本発明は、一対の揺動板による誤挿入防止構造を備えたカード用コネクタであれば、どのような構成のカード用コネクタにも適用可能である。
【００９３】
また、上記した各実施の形態においては、一対の揺動板が底壁部に接触して、第１のカードの装着空間を形成する構成としたが、この構成に限定されるものではない。一対の揺動板は、底壁部に近接された状態で、第１のカードの装着空間を形成する構成としてもよい。
【００９４】
また、今回開示された実施の形態は、全ての点で例示であってこの実施の形態に制限されるものではない。本発明の範囲は、上記した実施の形態のみの説明ではなくて特許請求の範囲によって示され、特許請求の範囲と均等の意味および範囲内での全ての変更が含まれることが意図される。
【産業上の利用可能性】
【００９５】
以上説明したように、本発明は、独立して揺動可能に分割された仕切板を連結板により連結し、この連結板によってカードの誤挿入を防止すると共に、連結板の変形または破損を防止することができるという効果を有し、特に、規格の異なる複数種類のカードに対応したコンバイン型のカード用コネクタに有用である。
【符号の説明】
【００９６】
１  カード用コネクタ
２  コネクタ本体（ハウジング）
３  カバー（ハウジング）
４  挿入口
５  仕切板
２１  スライド部材
２２  排出バネ
２６  ハートカム溝
２７  ラッチピン
２９  スイッチ部
３１ａ、３１ｂ  揺動板
３２  収容孔
３３ａ、３３ｂ  保護部
３５ａ、３５ｂ  復帰バネ
３８ａ、３８ｂ  段部
４１  連結板
４３ａ、４３ｂ  レバー部材
５１  金属板
５２ａ、５２ｂ  接続部分
５３ａ、５３ｂ  補強板
５５  ガイド面
７１  第１のカード
８１  第２のカード
【図１】
2011249072.tif 000003
【図２】
2011249072.tif 000004
【図３】
2011249072.tif 000005
【図４】
2011249072.tif 000006
【図５】
2011249072.tif 000007
【図６】
2011249072.tif 000008
【図７】
2011249072.tif 000009
【図８】
2011249072.tif 000010
【図９】
2011249072.tif 000011
【図１０】
2011249072.tif 000012
【図１１】
2011249072.tif 000013
【図１２】
2011249072.tif 000014
【図１３】
2011249072.tif 000015
【図１４】
2011249072.tif 000016
【図１５】
2011249072.tif 000017
【図１６】
2011249072.tif 000018